(57)【要約】【課題】ＩＤ頁の抜き取り等による偽造を防止する効果が高く、また電気・通信手段を使用できないような場合であっても真偽判別が可能なセキュリティ冊子及びその作成方法を提供する。【解決手段】少なくとも個人情報を含む第１の情報を格納したＩＣチップ１１を有し、第１の情報とリンクした第２の情報が形成されたＩＤ頁２０１ａと、ＩＤ頁２０１ａを除く少なくとも一枚の他の頁２０１ｂとを備え、少なくとも一枚の他の頁２０１ｂに、第１の情報の少なくとも一部が不可視情報１５、１６として形成されたことを特徴とするセキュリティ冊子である。【選択図】図２
2020157527.tif 000002
【特許請求の範囲】
【請求項１】
少なくとも個人情報を含む第１の情報を格納したＩＣチップを有し、前記第１の情報とリンクした第２の情報が形成されたＩＤ頁と、
前記ＩＤ頁を除く少なくとも一枚の他の頁とを備え、
前記少なくとも一枚の他の頁に、前記第１の情報の少なくとも一部が不可視情報として形成されたことを特徴とするセキュリティ冊子。
【請求項２】
前記少なくとも一枚の他の頁に、少なくとも二つの前記不可視情報が形成されており、
前記不可視情報は、全てが同じ内容の情報である場合、少なくとも二つが同じ内容の情報である場合、全てが異なる内容の情報である場合のいずれかであることを特徴とする請求項１に記載のセキュリティ冊子。
【請求項３】
前記不可視情報として、赤外線吸収性色素を含むブラックインキを用いて構成された第１の領域と、赤外線吸収性色素を含まないインキを用いて構成された黒色系の第２の領域とを有し、前記第１の領域と前記第２の領域との面積比率に応じて階調画像が構成され、赤外線を照射した環境で視認可能な情報を少なくとも含むことを請求項１又は２に記載のセキュリティ冊子。
【請求項４】
前記不可視情報として、第１の方向に沿う中心線を境に対向するように配置された第１の画線及び第２の画線を有する画線要素が一定のピッチで配置されており、
各々の前記画線要素における前記第１の画線と前記第２の画線とは面積が同一でネガポジの関係にあり、
前記第１の方向に沿って判別具を載置することにより、前記第１の画線により第１の不可視情報のポジ画像又はネガ画像が視認され、前記第２の画線により第２の不可視情報のネガ画像又はポジ画像が視認される情報を少なくとも含むことを請求項１又は２に記載のセキュリティ冊子。
【請求項５】
個人情報を格納したサーバと、前記サーバに接続され、セキュリティ冊子を作成する作成装置とを用いて、セキュリティ冊子を作成する方法であって、
前記セキュリティ冊子は、少なくとも個人情報を含む第１の情報を格納したＩＣチップを有し、前記第１の情報とリンクした第２の情報が形成されたＩＤ頁と、前記ＩＤ頁を除く少なくとも一枚の他の頁とを備え、
前記作成装置により、前記サーバから前記個人情報を受信するステップと、
前記作成装置により、前記少なくとも一枚の他の頁に、前記個人情報の少なくとも一部を不可視情報として形成するステップと、
を備えたことを特徴とするセキュリティ冊子の作成方法。
【請求項６】
個人情報を格納したサーバと、前記サーバに接続され、セキュリティ冊子を作成する作成装置とを用いて、セキュリティ冊子を作成する方法であって、前記作成装置は、データ入力機能と、記憶機能と、演算処理機能と、データ出力機能とを有する演算処理部を備え、
前記セキュリティ冊子は、少なくとも個人情報を含む第１の情報を格納したＩＣチップを有し、前記第１の情報とリンクした第２の情報が形成されたＩＤ頁と、前記個人情報の少なくとも一部が不可視情報として形成された、前記ＩＤ頁を除く少なくとも一枚の他の頁とを備え、
前記データ入力機能により、前記サーバから、前記個人情報を含み画像及び文字で表現されたソースデータを入力するステップと、
前記データ入力機能により、前記記憶機能に格納された、設定データを入力するステップと、
前記演算処理機能により、前記ソースデータに含まれる前記画像及び前記文字のプロパティ情報を維持したまま、前記ソースデータに含まれる前記画像及び前記文字の第１のストリーム情報を、前記設定データに従って、記画像及び前記文字をストリーム情報へと変換した第２のストリーム情報に置換して、前記印刷用データを生成するステップと、前記第２のストリーム情報には、前記不可視情報が含まれ、
前記データ出力機能により、生成された前記印刷用データを出力するステップと、
を備えることを特徴とするセキュリティ冊子の作成方法。
【請求項７】
通信端末を用いて、前記セキュリティ冊子の情報の検証を行うステップをさらに備え、
前記ＩＣチップから前記第１の情報を読み取るステップと、
前記ＩＤ頁に形成された前記第２の情報を読み取るステップと、
前記ＩＣチップから読み取った前記第１の情報と、前記ＩＤ頁から読み取った前記第２の情報とを比較照合するステップと、
前記少なくとも一枚の他の頁に前記不可視情報として形成された前記個人情報の少なくとも一部を読み取るステップと、
前記ＩＣチップから読み取った前記第１の情報と、前記少なくとも一枚の他の頁から読み取った前記個人情報の少なくとも一部とを比較照合するステップと、
を備え、
前記セキュリティ冊子の情報の検証を行うことを特徴とする請求項５又は６に記載のセキュリティ冊子の作成方法。
【発明の詳細な説明】
【技術分野】
【０００１】
本発明は、セキュリティ冊子及びセキュリティ冊子を作成する方法に関する。
【背景技術】
【０００２】
従来のＩＣチップを備えたセキュリティ冊子では、個人情報等をＩＣチップに格納するとともに、この個人情報等とリンクした情報を同じ頁内に形成し、ＩＣチップ内の個人情報等と同じ頁内に形成した情報とを比較照合して真偽判別を行っていた。
【０００３】
従来のＩＣチップを内蔵したセキュリティ冊子に関する技術として、例えば特許第５９１９７４１号、特開２００４−２１３２５３号に開示されたものがあった。
【先行技術文献】
【特許文献】
【０００４】
【特許文献１】特許第５９１９７４１号
【特許文献２】特開２００４−２１３２５３号
【発明の概要】
【発明が解決しようとする課題】
【０００５】
しかしながら、特許文献１、２において記載されたような従来のセキュリティ冊子には次のような課題があった。
【０００６】
図１に、従来のセキュリティ冊子６０１の構成を示す。セキュリティ冊子６０１には、個人情報が格納されたＩＣチップ１１が埋め込まれており、ＩＣチップ１１内の個人情報とリンクした情報が形成された頁（以下、ＩＤ頁と称する）６０１ａには、顔写真１２、旅券情報等が記載され機械読み取りが可能な領域ＭＲＺ（machine-readable zone）１３が配置されている。
【０００７】
このようなセキュリティ冊子６０１に対する真偽判別はＩＤ頁６０１ａに対してのみ行われ、即ちＩＣチップ１１、顔写真１２、ＭＲＺ１３に対してのみ行われていた。従って、セキュリティ冊子６０１からＩＤ頁６０１ａが抜き取られた場合、偽造したＩＤ頁を差し替えて綴じることによって、容易に偽造されるおそれがあった。
【０００８】
また、災害が発生し電源供給が停止された場合、あるいは真偽判別用の読み取り機器が存在しない国で出入国する場合、あるいは職務質問等によりセキュリティ冊子の検査を行う場合には、ＩＤ頁６０１ａにおけるＩＣチップ１１内の個人情報等や、個人情報等とリンクした情報、即ち顔写真１２やＭＲＺ１３を読み取ることができず、真偽判別を行うことができなかった。
【０００９】
本発明は上記事情に鑑み、ＩＤ頁の抜き取り等による偽造を防止する効果が高く、かつ電気・通信手段を使用できないような場合であっても真偽判別が可能なセキュリティ冊子及びその作成方法を提供することを目的とする。
【課題を解決するための手段】
【００１０】
本発明のセキュリティ冊子は、少なくとも個人情報を含む第１の情報を格納したＩＣチップを有し、第１の情報とリンクした第２の情報が形成されたＩＤ頁と、ＩＤ頁を除く少なくとも一枚の他の頁とを備え、少なくとも一枚の他の頁に、第１の情報の少なくとも一部が不可視情報として形成されたことを特徴とする。
【００１１】
また、本発明のセキュリティ冊子は、少なくとも一枚の他の頁に、少なくとも二つの不可視情報が形成されており、不可視情報は、全てが同じ内容の情報である場合、少なくとも二つが同じ内容の情報である場合、全てが異なる内容の情報である場合のいずれかであることを特徴とする。
【００１２】
また、本発明のセキュリティ冊子は、不可視情報として、赤外線吸収性色素を含むブラックインキを用いて構成された第１の領域と、赤外線吸収性色素を含まないインキを用いて構成された黒色系の第２の領域とを有し、第１の領域と第２の領域との面積比率に応じて階調画像が構成され、赤外線を照射した環境で視認可能な情報を少なくとも含むことを特徴とする。
【００１３】
また、本発明のセキュリティ冊子は、不可視情報として、第１の方向に沿う中心線を境に対向するように配置された第１の画線及び第２の画線を有する画線要素が一定のピッチで配置されており、各々の画線要素における第１の画線と第２の画線とは面積が同一でネガポジの関係にあり、第１の方向に沿って判別具を載置することにより、第１の画線により第１の不可視情報のポジ画像又はネガ画像が視認され、第２の画線により第２の不可視情報のネガ画像又はポジ画像が視認される情報を少なくとも含むことを特徴とする。
【００１４】
本発明のセキュリティ冊子を作成する方法は、個人情報を格納したサーバと、サーバに接続され、セキュリティ冊子を作成する作成装置とを用いて、セキュリティ冊子を作成する方法であって、セキュリティ冊子は、少なくとも個人情報を含む第１の情報を格納したＩＣチップを有し、第１の情報とリンクした第２の情報が形成されたＩＤ頁と、前記ＩＤ頁を除く少なくとも一枚の他の頁とを備え、作成装置により、サーバから個人情報を受信するステップと、作成装置により、少なくとも一枚の他の頁に、個人情報の少なくとも一部を不可視情報として形成するステップと、を備えたことを特徴とする。
【００１５】
また、本発明のセキュリティ冊子を作成する方法は、個人情報を格納したサーバと、サーバに接続され、セキュリティ冊子を作成する作成装置とを用いて、セキュリティ冊子を作成する方法であって、作成装置は、データ入力機能と、記憶機能と、演算処理機能と、データ出力機能とを有する演算処理部を備え、セキュリティ冊子は、少なくとも個人情報を含む第１の情報を格納したＩＣチップを有し、第１の情報とリンクした第２の情報が形成されたＩＤ頁と、個人情報の少なくとも一部が不可視情報として形成された、ＩＤ頁を除く少なくとも一枚の他の頁とを備え、データ入力機能により、サーバから、個人情報を含み画像及び文字で表現されたソースデータを入力するステップと、データ入力機能により、記憶機能に格納された、設定データを入力するステップと、演算処理機能により、ソースデータに含まれる画像及び文字のプロパティ情報を維持したまま、ソースデータに含まれる画像及び文字の第１のストリーム情報を、設定データに従って、画像及び文字をストリーム情報へと変換した第２のストリーム情報に置換して、印刷用データを生成するステップと、第２のストリーム情報には、不可視情報が含まれ、データ出力機能により、生成された印刷用データを出力するステップと、を備えることを特徴とする。
【００１６】
さらに、本発明のセキュリティ冊子の作成方法は、通信端末を用いて、セキュリティ冊子の情報の検証を行うステップをさらに備え、ＩＣチップから第１の情報を読み取るステップと、ＩＤ頁に形成された第２の情報を読み取るステップと、ＩＣチップから読み取った第１の情報と、ＩＤ頁から読み取った第２の情報とを比較照合するステップと、少なくとも一枚の他の頁に不可視情報として形成された個人情報の少なくとも一部を読み取るステップと、  ＩＣチップから読み取った第１の情報と、少なくとも一枚の他の頁から読み取った個人情報の少なくとも一部とを比較照合するステップと、を備え、セキュリティ冊子の情報の検証を行うことを特徴とする。
【発明の効果】
【００１７】
本発明のセキュリティ冊子及びその作成方法によれば、偽造防止効果を向上させるとともに、電気・通信手段を使用できないような場合であっても真偽判別が可能である。
【図面の簡単な説明】
【００１８】
【図１】従来のセキュリティ冊子の構成を示した説明図。
【図２】本発明の一実施の形態によるセキュリティ冊子の構成を示した説明図。
【図３】同実施の形態によるセキュリティ冊子で用いられる第１の不可視情報の構成を示した説明図。
【図４】同第１の不可視情報により形成された身分証明書の構成を示した説明図。
【図５】同実施の形態によるセキュリティ冊子で用いられる第２の不可視情報を形成した印刷物を示した斜視図。
【図６】同第２の不可視情報を形成した印刷模様を示した説明図。
【図７】同第２の不可視情報をレンチキュラーレンズ等の判別具により発現した状態を示す説明図。
【図８】同第２の不可視情報をレンチキュラーレンズ等の判別具により発現した状態を示す説明図。
【図９】同第２の不可視情報を構成する画線構成を示す説明図。
【図１０】同第２の不可視情報を構成する画線の配置を示す説明図。
【図１１】同第２の不可視情報が形成された印刷物上にレンチキュラーレンズ等の判別具を載置して観察する様子を示した説明図。
【図１２】一方向にレンチキュラーレンズ等の判別具を載置した場合に同第２の不可視情報におけるポジ（ネガ）画像がレンチキュラーレンズ等の判別具により発現する原理を示した説明図。
【図１３】一方向にレンチキュラーレンズ等の判別具を載置した場合に同第２の不可視情報におけるネガ（ポジ）画像がレンチキュラーレンズ等の判別具により発現する原理を示した説明図。
【図１４】９０度を成す他の方向にレンチキュラーレンズ等の判別具を載置した場合に同第２の不可視情報におけるポジ（ネガ）画像がレンチキュラーレンズ等の判別具により発現する原理を示した説明図。
【図１５】９０度を成す他の方向にレンチキュラーレンズ等の判別具を載置した場合に同第２の不可視情報におけるネガ（ポジ）画像がレンチキュラーレンズ等の判別具により発現する原理を示した説明図。
【図１６】真正のセキュリティ冊子と、真正のセキュリティ冊子からＩＤ頁を抜き取り偽造したＩＤ頁を差し替えて綴じた偽造されたセキュリティ冊子のそれぞれの構成を示した説明図。
【図１７】真正のセキュリティ冊子と偽造されたセキュリティ冊子に対して通信端末を用いて真偽判別を行う方法を示した説明図。
【図１８】本発明の実施の形態においてセキュリティ冊子の印刷用データを作成する手順の概略を示した説明図。
【図１９】印刷物に含まれる画像、文字のそれぞれのストリーム情報、プロパティ情報の一例を示す説明図。
【図２０】同実施の形態においてストリーム情報に対応する箇所を示した説明図。
【図２１】同実施の形態においてストリーム情報の置換による印刷用データの生成を示した説明図。
【図２２】同実施の形態で使用するＰＤＦファイルの構成を示した説明図。
【図２３】同実施の形態で使用するＰＤＦファイルのオブジェクトを示した説明図。
【図２４】同実施の形態で使用するＰＤＦファイルの内部構造を示した説明図。
【図２５】同実施の形態で使用するＰＤＦファイルのストリーム情報を示した説明図。
【図２６】同実施の形態で使用するＰＤＦファイルにおける画像のストリーム情報の置換を示した説明図。
【図２７】同実施の形態で使用するＰＤＦファイルにおける文字のストリーム情報の置換を示した説明図。
【図２８】同実施の形態で使用するＰＤＦファイルにおけるストリーム情報の置換に付随して行う処理としてバイト長の更新処理を示した説明図。
【図２９】同実施の形態で使用するＰＤＦファイルにおけるストリーム情報の置換に付随して行う処理として相互参照表の更新処理を示した説明図。
【図３０】本発明の実施の形態によるセキュリティ冊子の印刷用データの生成方法を実行するための生成装置の構成を示したブロック図。
【図３１】同実施の形態によるセキュリティ冊子の印刷用データの作成方法で使用するソースデータを作成する手順を示したフローチャート。
【図３２】同実施の形態によるセキュリティ冊子の印刷用データの作成方法において、ソースデータを用いて設定データを作成する手順を示したフローチャート。
【図３３】同実施の形態によるセキュリティ冊子の印刷用データの作成方法において用いるデータベースの一例を示した説明図。
【図３４】同実施の形態によるセキュリティ冊子の印刷用データの作成方法において用いる設定データの一例を示した説明図。
【図３５】同実施の形態によるセキュリティ冊子の印刷用データの作成方法において、ソースデータを用いてストリーム情報を置換し印刷用データを作成する手順を示したフローチャート。
【発明を実施するための形態】
【００１９】
以下、本発明の一実施の形態によるセキュリティ冊子及びその作成方法について、図面を用いて説明する。
【００２０】
図２（ａ）に、本実施の形態によるセキュリティ冊子２０１の構成を示す。セキュリティ冊子２０１には、個人情報が格納されたＩＣチップ１１が埋め込まれており、ＩＣチップ１１内の個人情報とリンクした情報が形成されたＩＤ頁２０１ａには、顔写真１２、ＭＲＺ１３、不可視情報１４が配置されている。
【００２１】
さらに、このセキュリティ冊子２０１には、ＩＤ頁２０１ａを除く他の頁２０１ｂにおいて、ＩＣチップ１１内の個人情報の少なくとも一部が形成された第１の不可視情報１６と、この第１の不可視情報１６とは異なる形態で個人情報の少なくとも一部が形成された第２の不可視情報１５とが設けられている。ここで、第１の不可視情報１６と第２の不可視情報１５とは、いずれも電源供給を必要とする読み取り機器を用いなくとも、簡易的な判別具を用いることで読み取りが可能なものである。なお、図２（ａ）には、頁２０１ｂに二つの不可視情報が形成されているが、一つでもよい。
【００２２】
具体的には、第１の不可視情報１６は、簡易な判別具として赤外線照射具を用いて読み取ることができ、第２の不可視情報１５は、簡易な判別具としてレンチキュラーレンズ又は万線フィルタを用いて、可視情報１７の上から判別具を当てることにより、不可視情報が確認できる。あるいはレンチキュラーレンズ又は万線フィルタの原理を用いて読み取りが可能なソフトウェアを内蔵した通信端末により、読み取ることができるものである。なお、他の頁２０１ｂは、ＩＤ頁２０１ａと見開きの頁であると真偽判別の際に便宜であるが、ＩＤ頁２０１ａと見開きの頁でなくともよい。
【００２３】
また、ＩＤ頁２０１ａの不可視情報１４及び他の頁２０１ｂの第２の不可視情報１５は、図２（ａ）では不可視情報が図示されているが、あくまでも説明上理解し易いように図示したものであり、実際には、図２（ｂ）のような可視情報１７が通常は視認されており、判別具を当てると図２（ｃ）のように第２の不可視情報１５が視認できるものである。
【００２４】
同様に、第１の不可視情報１６が形成された領域には、例えば、通常の可視光では図２（ｄ）に示した連続階調の顔画像が可視情報１７−１として視認できるように形成されており、赤外線を照射した状態で図２（ｆ）に示すような第１の不可視情報１６が視認できるように形成されたものである。
【００２５】
また、通常の可視光では図２（ｅ）に示した一般的な二次元コードが可視情報１７−２として視認できるように形成されており、赤外線を照射した状態では、二次元コードとは異なる情報を有する図２（ｆ）に示すような二次元コードを反転した画像として第１の不可視画像１６が形成されていてもよい。
【００２６】
このように、可視画像１７についても不可視情報１４、第１の不可視情報１５及び第２の不可視情報１６についても、単純な２値の画像でもよく、フルカラーの連続階調画像でもよく、特に限定はない。
【００２７】
第１の不可視情報１６の一例について、説明する。この第１の不可視情報１６は、本願と同一出願人による特許第３５４４５３６号において記載されたもので、通常光のもとでは白黒画像又はフルカラー画像に見えるが、この視認条件と異なる所定の視認条件として、例えば赤外線を照射した状態では不可視画像が視認されるものである。
【００２８】
第１の不可視情報１６は、拡大すると図３に示された画線構成を備えている。一つの第１の領域２１と、この第１の領域２１に隣接する一つの第２の領域２２とが複数組配置されており、第２の領域２２の周囲が、複数（図中、４つ）の第１の領域によって囲まれている。第１の領域２１は、第２の領域２２よりも面積が大きい。
【００２９】
第１の領域２１は、赤外線吸収性色素を含まないシアン（Ｃ）、マゼンタ（Ｍ）、イエロー（Ｙ）の３色のインキで印刷されている。一方、第２の領域２２は、赤外線吸収性色素として、例えばカーボンを含むブラック（Ｂｋ）の１色のインキで印刷された第２ａの領域２３と、赤外線吸収性色素を含まない黒色系のインキ、例えばシアン（Ｃ）、マゼンタ（Ｍ）、イエロー（Ｙ）の３色のインキが混合されたインキで印刷された第２ｂの領域２４とを有する。
【００３０】
そして、第２の領域２２において、第２ａの領域２３と第２ｂの領域２４との比率に応じて、第２ａの領域２３により階調画像が構成されている。
【００３１】
第１の領域２１により、通常光のもとではフルカラー画像として視認される網点画像Ｐ１が構成されている。第２の領域２２における第２ａの領域２３により、赤外線を照射した状態で視認される不可視画像Ｐ２が構成されている。
【００３２】
図４に、第１の領域２１、第２の領域２２により身分証明書を作成した一例を示す。図４におけるａ部は、第１の領域２１による網点画像として構成されている。ｂ部は、第２の領域２２における第２ａの領域２３により、赤外線吸収性色素を含むブラック（Ｂｋ）インキ１色で構成された不可視情報が含まれている。
【００３３】
次に、レンチキュラーレンズ等の判別具、あるいはレンチキュラーレンズ等の原理を用いて読み取ることが可能なソフトウェアを内蔵した通信端末により読み取ることができる第２の不可視情報１５について説明する。
【００３４】
この第２の不可視情報１５は、本願と同一出願人による特許第４６３５１６０号において記載されたものである。
【００３５】
図５に示されたように、印刷物にレンチキュラーレンズ等の判別具３２を重ね合わせることにより、図６に示されたような任意の図形や文字等から成る第２の不可視情報１５を視認することができる。なお、レンチキュラーレンズは、透明性を有するフィルタに複数の直線が万線状に一方向に沿って形成されたものである。
【００３６】
印刷物３１上に判別具３２を所定の角度、例えば０度で重ね合わせると、図７（ａ）又は図７（ｂ）に示されたように、ポジ又はネガの不可視画像３５が視認される。印刷物３１上に判別具３２を所定の角度に対して９０度で重ね合わせると、図８（ａ）又は図８（ｂ）に示されたように、不可視画像３５とは異なる他の不可視画像３６が、ポジ又はネガとして視認される。ここで、ポジ又はネガの画像は、印刷物３１と判別具３２との間の相対的な位置関係をずらすことにより変化する。
【００３７】
図９に、第２の不可視情報１５の一例として、画線構成を部分的に拡大して示す。縦横の寸法Ｓは、例えば３４０μｍというように１ｍｍ以下の大きさである。このような画線が、印刷物の表面上にマトリクス状に規則的に配置される。各画線は、少なくとも三つ以上の画線要素を備えている。画線Ａと画線Ａ’とは対をなし、相互のネガポジの関係にある。即ち、一方が黒（オン）のときは他方は白（オフ）、一方有着色（オン）のときは他方は無着色（オフ）であり、双方がともに黒（オン）であることはなく、また双方がともに白（オフ）であることはない。画線Ａと画線Ａ’とは同一面積を有する。このような画線Ａと画線Ａ’とが存在することにより、通常の可視条件下では視認されず、画線Ａのみにより不可視画像（ネガ又はポジ）が視認され、画線Ａ’のみにより不可視画像（ポジ又はネガ）が視認される。
【００３８】
同様に、画線Ｂと画線Ｂ’とは対を成してネガポジの関係にあり、かつ面積が同一である。画線Ｂのみ、又は画線Ｂ’のみにより、画線Ａ、Ａ’による不可視画像とは異なる不可視画像（ネガ又はポジ）、又は不可視画像（ポジ又はネガ）が視認される。
【００３９】
画線Ｃは、通常の可視光のもとで視認される任意の図形や文字等から成る可視画像を構成する。
【００４０】
このような画線Ａ及びＡ’、Ｂ及びＢ’、Ｃ及びＣ’を印刷物３１上にマトリクス状に規則的に配置した状態を図１０に示す。対を成す画線Ａと画線Ａ’のそれぞれの総画線面積が等しく、相互にネガポジの関係にあることで、不可視画像を通常の目視では視認することができない状態になっている。同様に、対を成す画線Ｂと画線Ｂ’のそれぞれの総画線面積が等しく、相互にネガポジの関係にあることで、不可視画像を通常の目視では視認することができない状態になっている。
【００４１】
印刷物３１を通常の目視により観察すると、画線Ｃ及びＣ’による可視画像が視認されて不可視画像は視認されず、判別具３２を載置すると可視画像が視認されなくなり、画線Ａ又はＡ’、あるいは画線Ｂ又はＢ’不可視画像が視認されるようになる。
【００４２】
印刷物３１上の印刷模様３３に対し、画線Ａの中心と判別具３２の各レンズの中心線７とが一致するように図１２（ａ）に示されたように載置すると、図１２（ｂ）に示されたように中心線３７に位置する画線Ａのみが膨張して見えることにより、画線Ａにより構成される不可視画像が視認される。
【００４３】
図１３（ａ）に示されたように、画線Ａ’の中心と判別具３２の各レンズの中心線３７とが一致するように載置すると、図１３（ｂ）に示されたように中心線３７に位置する画線Ａ’のみが膨張して見えることにより、画線Ａ’により構成される不可視画像が視認される。
【００４４】
図１４（ａ）に示されたように、印刷物３１上の印刷模様３３に対して９０度の角度を有し、かつ画線Ｂの中心と判別具３２の各レンズの中心線３７とが一致するように判別具３２を載置すると、図１４（ｂ）に示されたように中心線３７に位置する画線Ｂのみが膨張して見えることにより、画線Ｂにより構成される不可視画像が視認される。
【００４５】
図１５（ａ）に示されたように、画線Ｂ’の中心と判別具３２の各レンズの中心線３７とが一致するように載置すると、図１５（ｂ）に示されたように中心線３７に位置する画線Ｂ’のみが膨張して見えることにより、画線Ｂ’により構成される不可視画像が視認される。
【００４６】
図１６（ａ）に、真正のセキュリティ冊子２０１の構成を示す。上述したように、セキュリティ冊子２０１のＩＤ頁２０１ａには、個人情報が格納されたＩＣチップ１１が埋め込まれ、顔写真１２、ＭＲＺ１３、不可視情報１４が配置されている。さらに、ＩＤ頁２０１ａを除く他の頁２０１ｂにおいて、ＩＣチップ１１内の個人情報の少なくとも一部が形成された第１の不可視情報１６と、この第１の不可視情報１６とは異なる形態で個人情報の少なくとも一部が形成された第２の不可視情報１５とが設けられている。
【００４７】
一方、図１６（ｂ）に、偽造されたセキュリティ冊子４０１の構成を示す。偽造されたセキュリティ冊子４０１は、真正のＩＤ頁２０１ａを抜き取って偽造されたＩＤ頁４０１ａと差し替えられている。この偽造されたＩＤ頁４０１ａには、偽造されたＩＣチップ４１１が埋め込まれ、偽造された顔写真４１２、偽造されたＭＲＺ４１３、情報が何も形成されていない領域４１４が配置されている。
【００４８】
偽造されたセキュリティ冊子４０１では、偽造されたＩＤ頁４０１ａを除く他の頁２０１ｂは真正のセキュリティ冊子２０１の他の頁２０１ｂと同一である。よって、他の頁２０１ｂには、上述したように第１の不可視情報１６、第２の不可視情報１５が設けられている。
【００４９】
このような真正のセキュリティ冊子２０１と偽造されたセキュリティ冊子４０１に対する真偽判別は、以下のように行われる。先ず、第１の不可視情報１６を用いて真偽判別を行う。
【００５０】
真正のセキュリティ冊子２０１では、他の頁２０１ｂにおいて第１の不可視情報１６が形成されている。この第１の不可視情報１６を、赤外線を照射することによって読み取る。読み取った第１の不可視情報１６と、ＩＤ頁２０１ａにおけるＩＣチップ１１、顔写真１２、ＭＲＺ１３、不可視情報１４のそれぞれの情報とを比較照合し、真正のものであると判別することができる。
【００５１】
一方、偽造されたセキュリティ冊子４０１では、ＩＤ頁４０１ａは偽造されたものであるが、他の頁２０１ｂは真正のセキュリティ冊子２０１と同一である。よって、この他の頁２０１ｂには、第１の不可視情報１６が形成されている。この第１の不可視情報１６を赤外線を照射して読み取る。読み取った第１の不可視情報１６と、偽造されたＩＤ頁４０１ａにおけるＩＣチップ４１１、顔写真４１２、ＭＲＺ４１３のそれぞれの情報とを比較照合すると、両者は不一致であることから偽造されたものであると判別することができる。また、偽造されたＩＤ頁４０１ａには、不可視情報１４が形成されていない領域４１４が存在する。このことからも、このセキュリティ冊子４０１は偽造されたものであることが判る。
【００５２】
次に、第２の不可視情報１５を用いて真偽判別を行う。図１７に示されたように、第２の不可視情報１５を、レンチキュラーレンズ等の原理を用いて読み取るソフトウェアが格納された通信端末５０１により読み取ってもよい。
【００５３】
真正のセキュリティ冊子２０１では、他の頁２０１ｂにおいて第２の不可視情報１５が形成されている。この第２の不可視情報１５を、通信端末５０１により読み取る。読み取った第２の不可視情報１５と、ＩＤ頁２０１ａにおけるＩＣチップ１１、顔写真１２、ＭＲＺ１３のそれぞれの情報とを比較照合し、真正のものであると判別することができる。
【００５４】
一方、偽造されたセキュリティ冊子４０１では、ＩＤ頁４０１ａは偽造されたものであるが、他の頁２０１ｂは真正のセキュリティ冊子２０１と同一である。よって、この他の頁２０１ｂには、第２の不可視情報１５が形成されている。この第２の不可視情報１５を通信端末５０１により読み取る。読み取った第２の不可視情報１５と、偽造されたＩＤ頁４０１ａにおけるＩＣチップ４１１、顔写真４１２、ＭＲＺ４１３のそれぞれの情報とを比較照合すると、両者は不一致であることから偽造されたものであると判別することができる。また、上述したように偽造されたＩＤ頁４０１ａには、不可視情報１４が形成されていない領域４１４が存在する。このことからも、このセキュリティ冊子４０１は偽造されたものであることが判る。
【００５５】
本実施の形態によるセキュリティ冊子は、例えば以下に説明するバリアブル印刷を用いて作成することができる。この印刷方法は、本願と同一出願人による特願第２０１８−２２０７８８号において記載されたものである。
【００５６】
印刷の内容を１枚毎に変えて多種類の印刷物を大量に印刷することを、一般にバリアブル印刷という。
【００５７】
バリアブル印刷で用いられるデジタル印刷機は、大量生産のため高速化が図られており、機種によってはＡ４規格の用紙を毎分３０枚以上の速度で印刷することができる。仮に、毎分３００枚の速度で印刷する場合は、デジタル印刷機に与える例えばＰＤＦ形式の印刷用データを、毎分３００件以上の速度で生成することが望ましい。即ち、デジタル印刷機の高速性を生かすためには印刷用データを１件につき０．２秒以下で生成する必要がある。印刷用データの生成に０．２秒を超える時間を要すると、生産効率を低下させる原因となる。
【００５８】
このようにバリアブル印刷でデジタル印刷機の高速性を維持して高い生産性を得るためには、印刷速度以下の短い時間で印刷用データを生成することが必要である。
【００５９】
デザイナーが、頭の中で描いた図案を、市販されているデザインソフトウェアを使用してデザインデータとして具現化する。デザインソフトウェアは、複雑なレイヤー構造でデザインしたり、自由曲線に文字が沿うように配置したり、画像をクリッピングマスクで切り抜いたりなど自由自在なアレンジが可能であり高い表現力が得られる。
【００６０】
デザインソフトウェアをコンピュータで動作させ、作成したデザインデータをＰＤＦ形式等のソースデータとしてコンピュータ内の記憶部に格納する。図１８に示されるように、格納されたソースデータ５２を雛形として使用し、可変情報であるストリーム情報のみを置換して印刷用データ５１ａ、５１ｂ、５１ｃを作成する。
【００６１】
上述した第１の不可視情報１６、第２の不可視情報１５を形成する画像及び文字に関するデータは、個々のセキュリティ冊子毎に替える必要がある。このため、これらの不可視情報に関するデータは、ソースデータ５２に含まれているが、固定情報であるプロパティ情報には含まれず可変情報であるストリーム情報に含まれるものである。
【００６２】
画像及び文字のストリーム情報とプロパティ情報の一例を図１９に示す。印刷物を構成する要素は、画像、文字のいずれかに種別されると考えられる。画像には、ビットマップで表現されたラスター画像、図形や線画として表現されたベクター画像が存在する。文字には、例えばアスキーコード、１６進コード、フォントコード等により表現されたものがある。画像及び文字に共通するプロパティ情報として、配置座標、サイズ、拡大率、比率、角度等がある。ラスター画像に特有のプロパティ情報として、画素数、色深度、色空間（カラーベース）、画像解像度等がある。ベクター画像に特有のプロパティ情報として、色（塗り、線）、線幅等がある。文字に特有のプロパティ情報として、書体、色、文字間、行間等がある。
【００６３】
このような固定情報であるプロパティ情報には手を加えず維持し、可変情報であるストリーム情報のみを置換する。これにより、自動組版ソフトウェアを用いてストリーム情報のみならずプロパティ情報も１件毎に変えて作成する場合と比較し、より高速に印刷用データを作成することができると共に、高いデザインの自由度を維持することができる。
【００６４】
例えば、図２０に示されるように、ＰＤＦ形式等のデザインデータにおいて、可変情報の画像６４を黒ベタに変更し、可変情報の文字６５を「０」に変更したソースデータ６３を使用するものとする。
【００６５】
このようなソースデータ６３を個人情報等を格納したサーバ等から読み込み、図２１に示されるように、可変情報の画像６４と可変情報の文字６５に対して、所望のストリーム情報、即ち画像６４、文字６５の内容を記述するコードと置換することにより、印刷用データ５１ａ、５１ｂ、５１ｃを生成する。
【００６６】
自動組版ソフトウェアを用いて画像６４や文字６５を配置して挿入する場合と異なり、ソースデータにおいて既に配置されている画像や文字のプロパティ情報、即ち画像や文字の属性が記述されたコードには手を加えること無く維持し、その内容を示すストリーム情報のみを置換するので、印刷用データ５１ａ、５１ｂ、５１ｃを生成するための組版処理が不要である。
【００６７】
ここで、ＰＤＦファイルの構成はＰＤＦリファレンスにより定義されており、図２２に示されるように、ヘッダ（Ｈｅａｄｅｒ）６６ａ、ボディ（Ｂｏｄｙ）６６ｂ、クロスリファレンス（Ｃｒｏｓｓ−ｒｅｆｅｒｅｎｃｅ）６６ｃ、トレイラ（Ｔｒａｉｌｅｒ）６６ｄを備えている。このうち、画像や文字のプロパティ情報及びストリーム情報は、全てボディ（Ｂｏｄｙ）６６ｂと称される領域内に記述されている。
【００６８】
ボディ（Ｂｏｄｙ）６６ｂは、図２３に示されるようにオブジェクト（Ｏｂｊｅｃｔ）６７ａ、６７ｂ、６７ｃの集合体で構成されている。そして図２４に示されるように、画像のプロパティ情報及びストリーム情報はグラフィックオブジェクト（Ｇｒａｐｈｉｃｓ   ｏｂｊｅｃｔ）６８と称されるオブジェクト内に記述されており、文字のプロパティ情報及びストリーム情報はテキストオブジェクト（Ｔｅｘｔ  ｏｂｊｅｃｔ）６９と称されるオブジェクト内に記述されている。
【００６９】
図２５に示されるように、ストリーム情報はオブジェクト６７におけるストリーム（ｓｔｒｅａｍ）、エンドストリーム（ｅｎｄｓｔｒｅａｍ）という２つのキーワードで囲まれた部分７０に記述されている。
【００７０】
画像については、例えば図２６に示されるように、グラフィックオブジェクトにおいて、画像の濃度値が記述されているストリーム情報７１ａのみを新たなストリーム情報７１ｂに置換して、画像の内容を置換する。ストリーム情報を置換する際には、原則としてストリーム情報の量、具体的には画像の画素数は変更しない。また、画像の配置座標、サイズ、色空間等が記述されているプロパティ情報については、上述のように変更しない。このため、組版処理を行っていた従来と異なり、ソースデータ６３が有する高いデザイン性をそのまま維持することができる。
【００７１】
文字については、図２７に示されるように、テキストオブジェクトにおいて、文字を表すコードが記述されているストリーム情報７１ｃのみを新たなストリーム情報７１ｄに置換して、文字の内容を置換する。文字のストリーム情報の置換の際には、画像の場合と異なり、ストリーム情報の量、具体的には文字数が変更される場合が多い。
【００７２】
しかしながら、文字の配置座標、書体、サイズ、色等が記述されているプロパティ情報については、画像のプロパティ情報と同様に変更しないので、ソースデータ６３が有する高いデザイン性をそのまま維持することができる。
【００７３】
ところで、グラフィックオブジェクト６８、テキストオブジェクト６９には、図２８に示されるように、画像、文字のストリーム情報７１ａ〜７１ｄに従属して、その情報量を示すバイト長７２が記述されている。このストリーム情報７１ａ〜７１ｄの情報量を示すバイト長７２は、画像の場合は圧縮方式等、文字の場合は文字数等によって変動する。このため、ストリーム情報７１ａ、７１ｃをストリーム情報７１ｂ、７１ｄに置換してそのバイト長７２に増減が生じた場合には、記述されているバイト長７２の値を変更する必要がある。
【００７４】
ＰＤＦファイルの末尾には、図２９に示されるように、各々のオブジェクトの開始位置、即ち冒頭からオブジェクトの先頭までのバイト数を列記した相互参照表（Ｃｒｏｓｓ−ｒｅｆｅｒｅｎｃｅ  ｔａｂｌｅ）７３が記述されている。この相互参照表７３は、いわゆる目次に相当するものであり、画像や文字の内容が置換されるとそれに付随して変化する。
【００７５】
例えば、上述したようにストリーム情報７１ａ、７１ｃをストリーム情報７１ｂ、７１ｄに置換してそのバイト長７２に増減が生じた場合には、そのオブジェクトよりも後のオブジェクトの開始位置７４と、相互参照表の開始位置７５とを変更する必要がある。
【００７６】
図２９に示された一例では、７番目のオブジェクトのバイト長が５１２バイト増えた場合に相当する。このような場合は、８番目以降のオブジェクトの開始位置７４と、相互参照表の開始位置７５に５１２バイトを加算する。
【００７７】
図３０に、本発明の実施の形態によるセキュリティ冊子の印刷用データの生成方法を実行するための生成装置の構成を示す。
【００７８】
この装置は、データ入力部１０１、演算処理部１０２、記憶部１０３、データ出力部１０４を備える。
【００７９】
データ入力部１０１は、印刷用データの作成に必要なＰＤＦ形式等のソースデータを入力する。このソースデータは、例えば図３１を用いて後述するように市販のデザインソフトウェアを使用して作成したデザインデータをソースデータとして用いてもよい。また、データ入力部１０１は、図示されていないデータベースから、個々のセキュリティ冊子ごとに相違する各個人の氏名、性別、年齢、イメージ等のＩＤ情報を入力する。このデータベースには、個々のセキュリティ冊子毎に相違する不可視情報を形成する画像及び文字に関するデータが含まれている。
【００８０】
演算処理部１０２は、ソースデータに含まれた画像及び文字の第１のストリーム情報を、データベースに含まれた新たな画像及び文字の第２のストリーム情報に置換し、その一方でソースデータに含まれたプロパティ情報はそのまま維持して印刷用データを生成する。この第２のストリーム情報に、不可視情報を形成する画像及び文字に関するデータが含まれている。
【００８１】
記憶部１０３は、データ入力部に入力されたソースデータ及びデータベースを格納すると共に、演算処理部１０２からの演算結果として印刷用データを与えられて格納する。
【００８２】
データ出力部１０４は、記憶部１０３に記憶されたデータを与えられ、また演算処理部１０２から与えられたデータを出力する。またデータ出力部１０４は画像表示部を含み、印刷用データの表示を行う。
【００８３】
図３１のフローチャートに、セキュリティ冊子の印刷用データの作成に必要なＰＤＦ形式等のソースデータを、市販のデザインソフトウェアを使用して作成する手順を示す。ステップＳ４１として、ページサイズを設定する。
【００８４】
ステップＳ４２として、画像を配置し、ステップＳ４３として、例えば画像ファイルの参照先、挿入位置、比率、角度等の属性を、画像に適用する。このステップＳ４２、Ｓ４３の処理を画像の数だけ繰り返す。
【００８５】
ステップＳ４４として、文字を配置し、ステップＳ４５として、挿入位置、書体、組方向、サイズ、色等の属性を、文字に適用する。このステップＳ４４、Ｓ４５の処理を文字の数だけ繰り返す。
【００８６】
ステップＳ４６として、作成したソースデータを記憶部１０３に格納する。このソースデータに、不可視情報を形成する画像、文字に関するデータが含まれている。
【００８７】
図３２のフローチャートに、ＰＤＦ形式等のソースデータを使用して設定データを作成する手順を示す。設定データとは、ソースデータに含まれる置換対象の画像、文字のストリーム情報の開始位置、終了位置を含むデータである。
【００８８】
ステップＳ５１として、記憶部１０３に記憶されたソースデータを演算処理部１０２が読み込む。
【００８９】
ステップＳ５２として、演算処理部１０２が、ソースデータ内における置換対象である画像のストリーム情報を検索する。
【００９０】
ステップＳ５３として、演算処理部１０２が、検索した画像のストリーム情報の開始位置、具体的には冒頭からのバイト数、終了位置、エンコード方式等を含む置換条件を設定する。このステップＳ５２、Ｓ５３の処理を画像の数だけ繰り返す。
【００９１】
ステップＳ５４として、演算処理部１０２が、ソースデータ内における、置換対象である文字のストリーム情報を検索する。
【００９２】
ステップＳ５５として、演算処理部１０２が、検索した文字のストリーム情報の開始位置、終了位置、エンコード方式等を含む置換条件を設定する。このステップＳ５４、Ｓ５５の処理を文字の数だけ繰り返す。
【００９３】
ステップＳ５６として、演算処理部１０２が生成した設定データが記憶部１０３に格納される。あるいは、設定データをソフトウェアの構文に直接記述してもよい。
【００９４】
図３３に、データベースの一例を示す。一般的なデータベースと同様に、横軸をフィールド情報（氏名、性別、年齢、イメージ等）、縦軸をレコード情報（人物１、人物２、…）としてもよい。ここで、フィールド情報の番号は、ソフトウェアにおける配列変数等のインデックスとして利用するための値である。
【００９５】
図３４に、設定データの一例を示す。横軸を文字又は画像の種別、ストリーム情報の開始位置、終了位置、エンコード方式、ソースデータのオブジェクト番号、参照するデータベースのフィールド情報の番号、横軸を文字又は画像としてもよい。このようなデータベースをテキスト形式のファイルとして記憶部に格納する場合は、図３４に示されるように例えばＣＳＶ形式７９で記述してもよい。
【００９６】
図３５のフローチャートに、本実施の形態によるセキュリティ冊子の印刷用データの作成方法において、その作成手順を示す。
【００９７】
ステップＳ６１として、記憶部１０３に格納されているソースデータ２６を演算処理部１０２が読み込む。このソースデータ２６に、不可視情報を形成する画像、文字に関する情報が含まれている。
【００９８】
ステップＳ６２として、記憶部１０３に格納されている設定データ２８を演算処理部１０２が読み込む。
【００９９】
ステップＳ６３として、記憶部１０３に格納されているデータベースを演算処理部１０２が読み込む。
【０１００】
ステップＳ６４からステップＳ６８までの処理を、データベースのレコード情報の件数だけ繰り返す。
【０１０１】
ステップＳ６５として、演算処理部１０２が、ソースデータ２６に含まれている画像及び文字のストリーム情報を、データベースに含まれる新たな画像及び文字のストリーム情報に置換する。
【０１０２】
ステップＳ６６として、演算処理部１０２が、このストリーム情報の置換に伴って変化したバイト長と相互参照表の更新処理を行って印刷用データの作成を行う。
【０１０３】
ステップＳ６７として、演算処理部１０２が作成した印刷用データを記憶部１０３に与えて格納すると共に、データ出力部１０４から印刷用データを出力する。
【０１０４】
なお、ステップ６７'として、印刷媒体にデータ出力部１０４から印刷用データが出力された後、形成された各々の情報が正規に形成されているか否かを検証してもよい。検証する方法は、前述した真偽判別を行う方法と同じであり、ＩＣチップ１１から第１の情報を読み取り、次にＩＤ頁２０１ａから第２の情報を読み取って、第１の情報と第２の情報を比較照合し、さらにＩＤ頁２０１ａを除く他の頁２０１ｂに不可視情報として形成された第１の不可視情報１６及び／又は第２の不可視情報１５を読み取って、既に読み取った第１の情報と比較照合する。
【０１０５】
この情報の検証については、セキュリティ冊子の製造装置の最終部位（行程）にオンラインとして設置して検証してもよいし、製造装置のオフラインとして別に検証用の装置を設けてもよい。検証することで、セキュリティ冊子に格納及び形成されている全ての個人情報を真正の情報であると保証することができるため、好ましい。
【０１０６】
本発明の一実施の形態によるセキュリティ冊子の印刷用データを生成するためのソフトウェアは、上記印刷用データを生成する方法を、図３０に示された構成を備えるデータ生成装置に実行させるものであり、このデータ生成装置はコンピュータにより実現されたものであってもよい。
【０１０７】
従来は、上述したようにセキュリティ冊子６０１に対する真偽判別をＩＤ頁６０１ａに対してのみ行っていた。このため、真正のＩＤ頁６０１ａを抜き取って偽造されたＩＤ頁４０１ａと差し替えた偽造されたセキュリティ冊子４０１に対して、有効に真偽判別を行うことができなかった。
【０１０８】
これに対し本実施の形態のセキュリティ冊子２０１によれば、真正のＩＤ頁２０１ａを抜き取って偽造されたＩＤ頁４０１ａと差し替えた場合であっても、ＩＤ頁２０１ａを除く他の頁２０１ｂにおいて第１の不可視情報１６、第２の不可視情報１５が形成されているため、このような偽造に対しても有効に真偽判別を行うことが可能である。
【０１０９】
また、本実施の形態によるセキュリティ冊子の印刷用データの作成方法によれば、全てのセキュリティ冊子に共通の不可視情報を形成する画像、文字に関する情報、並びに個々のＩＤ情報を含むデザインデータを印刷用データ作成用のソースデータとし、このソースデータに含まれる情報のうち、個々のセキュリティ冊子毎に異なるＩＤ情報を含むストリーム情報を新たなストリーム情報に置換してプロパティ情報は維持して印刷用データを作成するので、作業効率及び生産性が向上し、高速で印刷用データを作成することができる。
【０１１０】
また、デザインデータに予め含まれていた特色等を指定するプロパティ情報をそのまま生かすことができるので、高いデザイン表現を維持することができる。
【０１１１】
本発明の実施の形態について説明したが、上記実施の形態は例として提示したものであり、発明の技術的範囲を限定することは意図していない。この新規な実施の形態は、その他の様々な形態で実施されることが可能であり、発明の要旨を逸脱しない範囲で、種々の省略、置き換え、変更を行うことができる。上記実施の形態やその変形は、発明の技術的範囲や要旨に含まれるとともに、特許請求の範囲に記載された発明とその均等の範囲に含まれる。
【符号の説明】
【０１１２】
１１      ＩＣチップ（真正）
１２      顔写真（真正）
１３      ＭＲＺ（真正）
１４      不可視情報（真正）
１５      第２の不可視情報（真正）
１６      第１の不可視情報（真正）
２１      第１の領域
２２      第２の領域
２３      第２ａの領域
２４      第２ｂの領域
３１      印刷物
３２      判別具
３３      印刷模様
３５      不可視画像
３６      他の不可視画像
３７      中心線
５１ａ、５１ｂ、５１ｃ    印刷用データ
５２、６３    ソースデータ
６４      画像
６５      文字
６６ｂ    ボディ（Ｂｏｄｙ）
６７、６７ａ、６７ｂ、６７ｃ    オブジェクト（Ｏｂｊｅｃｔ）
６８      グラフィックオブジェクト（Ｇｒａｐｈｉｃ  ｏｂｊｅｃｔ）
６９      テキストオブジェクト（Ｔｅｘｔ  ｏｂｊｅｃｔ）
７１、７１ａ〜７１ｄ    ストリーム情報
７２      バイト長
７３      相互参照表（Ｃｒｏｓｓ−ｒｅｆｅｒｅｎｃｅ  ｔａｂｌｅ）
７４      オブジェクトの開始位置
７５      相互参照表の開始位置
１０１    データ入力部
１０２    演算処理部
１０３    記憶部
１０４    データ出力部
２０１    セキュリティ冊子（真正）
２０１ａ    ＩＤ頁（真正）
２０１ｂ    他の頁（真正）
３０１    読み取り器具
４０１    セキュリティ冊子（偽造）
４０１ａ    ＩＤ頁（偽造）
４１１    ＩＣチップ（偽造）
４１２    顔写真（偽造）
４１３    ＭＲＺ（偽造）
４１４    領域（偽造）
５０１    通信端末
６０１    従来のセキュリティ冊子
【図１】
2020157527.tif 000003
【図２】
2020157527.tif 000004
【図３】
2020157527.tif 000005
【図４】
2020157527.tif 000006
【図５】
2020157527.tif 000007
【図６】
2020157527.tif 000008
【図７】
2020157527.tif 000009
【図８】
2020157527.tif 000010
【図９】
2020157527.tif 000011
【図１０】
2020157527.tif 000012
【図１１】
2020157527.tif 000013
【図１２】
2020157527.tif 000014
【図１３】
2020157527.tif 000015
【図１４】
2020157527.tif 000016
【図１５】
2020157527.tif 000017
【図１６】
2020157527.tif 000018
【図１７】
2020157527.tif 000019
【図１８】
2020157527.tif 000020
【図１９】
2020157527.tif 000021
【図２０】
2020157527.tif 000022
【図２１】
2020157527.tif 000023
【図２２】
2020157527.tif 000024
【図２３】
2020157527.tif 000025
【図２４】
2020157527.tif 000026
【図２５】
2020157527.tif 000027
【図２６】
2020157527.tif 000028
【図２７】
2020157527.tif 000029
【図２８】
2020157527.tif 000030
【図２９】
2020157527.tif 000031
【図３０】
2020157527.tif 000032
【図３１】
2020157527.tif 000033
【図３２】
2020157527.tif 000034
【図３３】
2020157527.tif 000035
【図３４】
2020157527.tif 000036
【図３５】
2020157527.tif 000037